(57)【要約】【課題】発信機の配置箇所の状況に応じて適切な処理をすることができる発信情報活用システムを提供する。【解決手段】発信情報活用システムは、発信機と、情報処理装置とを具備する。発信機は、受信側での処理に用いられる発信情報が割り当てられ、所定の条件に基づいてモードを変更する。情報処理装置は、発信情報を受信した場合、発信機のモードに基づく処理を行う。【選択図】図１
2019169986.tif 000002
【特許請求の範囲】
【請求項１】
受信側での処理に用いられる発信情報が割り当てられ、所定の条件に基づいてモードを変更する発信機と；
前記発信情報を受信した場合、前記発信機の前記モードに基づく処理を行う情報処理装置と；
を具備することを特徴とする発信情報活用システム。
【請求項２】
前記発信情報活用システムは、
携帯端末と；
前記情報処理装置としてサーバと；
をさらに具備し、
前記携帯端末は、当該携帯端末を識別する端末情報と前記発信機から受信した前記発信情報とを前記サーバへ送信し、
前記サーバは、前記携帯端末から前記発信情報と前記携帯端末を識別する端末情報とを受信した場合、前記発信機の前記モードに基づく所定の処理を行う
ことを特徴とする請求項１に記載の発信情報活用システム。
【請求項３】
前記発信情報活用システムは、
携帯端末と；
前記情報処理装置としてサーバと；
をさらに具備し、
前記携帯端末は、当該携帯端末を識別する端末情報を前記発信機へ送信し、
前記サーバは、前記発信機から前記発信情報と前記携帯端末を識別する端末情報とを受信した場合、前記発信機の前記モードに基づく所定の処理を行う
ことを特徴とする請求項１に記載の発信情報活用システム。
【請求項４】
前記サーバは、前記発信情報と前記端末情報とを受信した場合、当該端末情報により識別される携帯端末又は前記携帯端末に関連付けられた他の携帯端末に対して、前記発信機の前記モードに基づく処理を行う
ことを特徴とする請求項２又は請求項３に記載の発信情報活用システム。
【請求項５】
前記サーバは、前記発信機の前記モードに基づく処理として、前記端末情報により識別される携帯端末又は前記携帯端末に関連付けられた他の携帯端末に対して、前記発信機の前記モードに基づくコンテンツを提供する
ことを特徴とする請求項４に記載の発信情報活用システム。
【請求項６】
前記サーバは、前記発信機の前記モードに基づく処理として、前記端末情報により識別される携帯端末又は前記携帯端末に関連付けられた他の携帯端末に対して、前記発信機の前記モードに基づくアプリケーションに関する処理を行うように指示する
ことを特徴とする請求項４に記載の発信情報活用システム。
【請求項７】
前記発信機は、前記サーバによる指示に応じて、前記モードを変更する
ことを特徴とする請求項２〜６のいずれか１項に記載の発信情報活用システム。
【請求項８】
前記情報処理装置として、前記発信機により発信される前記発信情報を受信した場合、前記発信機の前記モードに基づくアプリケーションに関する処理を行う携帯端末；
をさらに具備することを特徴とする請求項１に記載の発信情報活用システム。
【請求項９】
前記発信機は、前記携帯端末による指示に応じて、前記モードを変更する
ことを特徴とする請求項２〜８のいずれか１項に記載の発信情報活用システム。
【請求項１０】
前記発信機は、前記モードの変更に応じて前記発信情報を変更する
ことを特徴とする請求項１〜９のいずれか１項に記載の発信情報活用システム。
【請求項１１】
前記発信機は、前記発信情報を発信する発信モードと、外部装置からの指示に応じて所定の処理を行う待機モードとを含む前記モードを前記所定の条件に応じて変更する
ことを特徴とする請求項１〜１０のいずれか１項に記載の発信情報活用システム。
【請求項１２】
前記発信情報活用システムは、
所定の装置への給電方式を判定する判定機構；
をさらに具備し、
前記発信機は、前記判定機構により判定される給電方式に応じて、前記モードを変更する
ことを特徴とする請求項１〜１１のいずれか１項に記載の発信情報活用システム。
【請求項１３】
前記発信情報活用システムは、
蓄電池を；さらに具備し、
前記判定機構は、前記給電方式として、商用電源による電力供給か、前記蓄電池による電力供給かを判定する
ことを特徴とする請求項１２に記載の発信情報活用システム。
【請求項１４】
前記発信情報活用システムは、
前記所定の装置として照明装置、
を具備し、
前記照明装置は、
光源と；
前記判定機構としての判定部と；
前記蓄電池と；
を具備し、
前記蓄電池は、前記判定部により商用電源による電力供給が停止したと判定された場合、前記発信機に対して電力を供給する
ことを特徴とする請求項１３に記載の発信情報活用システム。
【発明の詳細な説明】
【技術分野】
【０００１】
本発明の実施形態は、発信情報活用システムに関する。
【背景技術】
【０００２】
従来、例えばビーコンなどの発信機から発信される発信情報に基づいて、ユーザに種々のサービスを提供する技術が知られている。
【先行技術文献】
【特許文献】
【０００３】
【特許文献１】特開２０１１−１２４９６８号公報
【発明の概要】
【発明が解決しようとする課題】
【０００４】
しかしながら、上述のような技術においては、発信機の配置箇所の状況に応じて適切な処理をすることが難しいといった課題がある。
【０００５】
本発明は、発信機の配置箇所の状況に応じて適切な処理をすることができる発信情報活用システムを提供することを目的とする。
【課題を解決するための手段】
【０００６】
本実施形態の発信情報活用システムは、発信機と、情報処理装置とを具備する。発信機は、受信側での処理に用いられる発信情報が割り当てられ、所定の条件に基づいてモードを変更する。情報処理装置は、発信情報を受信した場合、発信機のモードに基づく処理を行う。
【発明の効果】
【０００７】
本発明によれば、発信機の配置箇所の状況に応じて適切な処理をすることができる。
【図面の簡単な説明】
【０００８】
【図１】図１は、実施形態１に係る発信情報活用システムの概略構成を示す図である。
【図２】図２は、実施形態１に係る発信機の構成を示すブロック図である。
【図３】図３は、実施形態１に係る発信機の記憶部に記憶される情報の一例を示す図である。
【図４】図４は、実施形態１に係る照明装置の構成を示す回路ブロック図である。
【図５】図５は、実施形態１に係る照明装置の構成を示す回路ブロック図である。
【図６】図６は、実施形態１に係るサーバの構成を示すブロック図である。
【図７】図７は、実施形態１に係るコンテンツ情報記憶部に記憶される情報の一例を示す図である。
【図８】図８は、実施形態１に係る携帯端末の構成を示すブロック図である。
【図９】図９は、実施形態１に係る発信情報活用システムにおける発信情報活用処理の手順を示すシーケンス図である。
【図１０】図１０は、実施形態２に係る発信情報活用システムの概略構成を示す図である。
【図１１】図１１は、実施形態２に係る携帯端末の構成を示すブロック図である。
【図１２】図１２は、実施形態２に係る携帯端末の記憶部に記憶される情報の一例を示す図である。
【図１３】図１３は、実施形態２に係る発信情報活用システムにおける発信情報活用処理の手順を示すシーケンス図である。
【図１４】図１４は、実施形態３に係る発信情報活用システムの概略構成を示す図である。
【図１５】図１５は、実施形態３に係るサーバの構成を示すブロック図である。
【図１６】図１６は、実施形態３に係るグループ情報記憶部に記憶される情報の一例を示す図である。
【図１７】図１７は、実施形態３に係る発信情報活用システムにおける発信情報活用処理の手順を示すシーケンス図である。
【発明を実施するための形態】
【０００９】
以下で説明する実施形態１〜３に係る発信情報活用システム１〜３は、受信側での処理に用いられる発信情報が割り当てられ、所定の条件に基づいてモードを変更する発信機４０と、発信情報を受信した場合、発信機４０のモードに基づく処理を行う情報処理装置と、を具備する。
【００１０】
また、以下で説明する実施形態１，３に係る発信情報活用システム１，３は、携帯端末１０，１０Ｂと、情報処理装置としてサーバ１００，１００Ａと、をさらに具備し、携帯端末１０，１０Ｂは、携帯端末１０，１０Ｂを識別する端末情報と発信機４０から受信した発信情報とをサーバ１００，１００Ａへ送信し、サーバ１００，１００Ａは、携帯端末１０，１０Ｂから発信情報と携帯端末１０，１０Ｂを識別する端末情報とを受信した場合、発信機４０のモードに基づく所定の処理を行う。
【００１１】
また、以下で説明する実施形態１，３に係る発信情報活用システム１，３は、携帯端末１０，１０Ｂと、情報処理装置としてサーバ１００，１００Ａと、をさらに具備し、携帯端末１０，１０Ｂは、携帯端末１０，１０Ｂを識別する端末情報を発信機４０へ送信し、サーバ１００，１００Ａは、発信機４０からから発信情報と携帯端末１０，１０Ｂを識別する端末情報とを受信した場合、発信機４０のモードに基づく所定の処理を行う。
【００１２】
また、以下で説明する実施形態１，３に係る発信情報活用システム１，３において、サーバ１００，１００Ａは、発信情報と端末情報とを受信した場合、端末情報により識別される携帯端末１０，１０Ｂ又は携帯端末１０，１０Ｂに関連付けられた他の携帯端末１０Ｃに対して、発信機４０のモードに基づく処理を行う。
【００１３】
また、以下で説明する実施形態１，３に係る発信情報活用システム１，３において、サーバ１００，１００Ａは、発信機４０のモードに基づく処理として、端末情報により識別される携帯端末１０，１０Ｂ又は携帯端末１０，１０Ｂに関連付けられた他の携帯端末１０Ｃに対して、発信機４０のモードに基づくコンテンツを提供する。
【００１４】
また、以下で説明する実施形態１，３に係る発信情報活用システム１，３において、サーバ１００，１００Ａは、発信機４０のモードに基づく処理として、端末情報により識別される携帯端末１０，１０Ｂ又は携帯端末１０，１０Ｂに関連付けられた他の携帯端末１０Ｃに対して、発信機４０のモードに基づくアプリケーションに関する処理を行うように指示する。
【００１５】
また、以下で説明する実施形態１，３に係る発信情報活用システム１，３において、発信機４０は、サーバ１００，１００Ａによる指示に応じて、モードを変更する。
【００１６】
また、以下で説明する実施形態１〜３に係る発信情報活用システム１〜３は、情報処理装置として、発信機４０により発信される発信情報を受信した場合、発信機４０のモードに基づくアプリケーションに関する処理を行う携帯端末１０，１０Ａ，１０Ｂを具備する。
【００１７】
また、以下で説明する実施形態１〜３に係る発信情報活用システム１〜３において、発信機４０は、携帯端末１０，１０Ａ，１０Ｂによる指示に応じて、モードを変更する。
【００１８】
また、以下で説明する実施形態１〜３に係る発信情報活用システム１〜３において、発信機４０は、モードの変更に応じて発信情報を変更する。
【００１９】
また、以下で説明する実施形態１〜３に係る発信情報活用システム１〜３において、発信機４０は、発信情報を発信する発信モードと、外部装置からの指示に応じて所定の処理を行う待機モードとを含むモードを所定の条件に応じて変更する。
【００２０】
また、以下で説明する実施形態１〜３に係る発信情報活用システム１〜３において、所定の装置への給電方式を判定する判定機構をさらに具備し、発信機４０は、判定機構により判定される給電方式に応じて、モードを変更する。
【００２１】
また、以下で説明する実施形態１〜３に係る発信情報活用システム１〜３において、蓄電池５３をさらに具備し、判定機構は、給電方式として、商用電源ＣＰによる電力供給か、蓄電池５３による電力供給かを判定する。
【００２２】
また、以下で説明する実施形態１〜３に係る発信情報活用システム１〜３は、所定の装置として照明装置５０を具備し、照明装置５０は、光源５１と、判定機構としての判定部５２と、蓄電池５３とを具備し、蓄電池５３は、判定部５２により商用電源ＣＰによる電力供給が停止したと判定された場合、発信機４０に対して電力を供給する。
【００２３】
［実施形態１］
まず、本発明の実施形態１に係る発信情報活用システム１を図面に基づいて説明する。図１は、実施形態１に係る発信情報活用システムの概略構成を示す図である。図１の発信情報活用システム１には、所定の装置として蓄電池５３（図４参照）を具備する照明装置５０であって、照明装置５０の判定部５２が供給方式を判定する場合を例示する。
【００２４】
実施形態１に係る発信情報活用システム１は、携帯端末１０と、発信機４０と、照明装置５０と、サーバ１００とを具備する。例えば、サーバ１００は、携帯端末１０と所定のネットワークを介して通信可能に接続されている。図１に示した発信情報活用システム１には、複数台の携帯端末１０や、複数台の発信機４０や、複数台の照明装置５０や、複数台のサーバ１００が含まれてもよい。
【００２５】
携帯端末１０は、ユーザが所有する情報処理装置である。携帯端末１０は、ユーザが持ち運び可能な情報処理装置であればどのような情報処理装置であってもよく、例えば、スマートフォンや、タブレット型端末や、ノート型ＰＣ（Personal  Computer）や、携帯電話機や、ＰＤＡ（Personal  Digital  Assistant）等により実現される。図１に示す例においては、携帯端末１０としてスマートフォンを用いる場合を説明する。なお、以下では、携帯端末１０をユーザと表記する場合がある。すなわち、以下では、ユーザを携帯端末１０と読み替えることもできる。例えば、携帯端末１０は、発信機４０から発信される情報を受信する。具体的には、携帯端末１０は、発信機４０から発信される発信ＩＤを受信する。また、携帯端末１０は、発信機４０から受信した発信ＩＤをサーバ１００へ送信する。
【００２６】
発信機４０は、例えば、ビーコンなどの定期的に電波（情報）を発信するデバイスである。また、発信機４０は、受信側での処理に用いられる発信情報である発信ＩＤを発信し、所定の条件に基づいてモードを変更する。図１に示す例においては、発信機４０は、携帯端末１０やサーバ１００からの指示または照明装置５０の判定部５２により判定される給電方式等に応じてモードや発信ＩＤを変更するが、詳細は後述する。なお、発信機４０は、モードに応じて発信ＩＤを変更しない場合、発信ＩＤとともに発信機４０のモードを示す情報を受信側へ送信してもよい。また、図１に示す例においては、１つの発信機４０を示すが、発信機４０は複数に設置されてもよい。
【００２７】
照明装置５０は、例えば蛍光灯やＬＥＤ（Light  Emitting  Diode）等の光源５１を有する。また、照明装置５０は、商用電源ＣＰから電力が供給される。また、図１に示す例においては、照明装置５０は、発信機４０へ電力を供給する。例えば、照明装置５０は、通常時には、商用電源ＣＰから供給される電力を発信機４０へ供給し、停電時には、照明装置５０内の蓄電池５３から発信機４０へ電力を供給する。なお、図１に示す例においては、１つの照明装置５０を示すが、照明装置５０は複数に設置されてもよい。
【００２８】
サーバ１００は、発信ＩＤと携帯端末１０を識別する端末情報である端末ＩＤとを受信した場合、発信機４０のモードに基づく所定の処理を行う情報処理装置である。図１に示す例において、サーバ１００は、携帯端末１０から発信ＩＤと端末ＩＤとを受信する。また、図１に示す例において、サーバ１００は、発信機４０のモードに基づく処理として、受信した端末ＩＤにより識別される携帯端末１０に対して、受信した発信ＩＤに対応する発信機４０のモードに基づくコンテンツを提供する。なお、サーバ１００は、発信ＩＤとともに発信機４０のモードを示す情報を取得することにより、発信機４０のモードに基づくコンテンツを提供してもよい。
【００２９】
図１中の左側に示す発信情報活用システム１においては、発信機４０のモードが通常モードであり、商用電源ＣＰから電力が供給される状態において、ユーザの携帯端末１０は、発信機４０が発信する発信ＩＤを受信する（ステップＳ１１）。なお、通常モードは、発信機４０が発信ＩＤを発信する発信モードである。図１に示す例において、携帯端末１０は、発信機４０が通常モードに対応する発信ＩＤを受信する。そして、携帯端末１０は、例えばユーザの操作に応じて、発信機４０から受信した発信ＩＤと携帯端末１０の端末ＩＤとをサーバ１００へ送信する（ステップＳ１２）。図１に示す例において、携帯端末１０は、発信機４０から受信した通常モードに対応する発信ＩＤと携帯端末１０の端末ＩＤとをサーバ１００へ送信する。
【００３０】
サーバ１００は、携帯端末１０から発信ＩＤと端末ＩＤとを受信した場合、受信した発信ＩＤが示すモードに対応するコンテンツを携帯端末１０へ配信する（ステップＳ１３）。図１に示す例においては、サーバ１００は、携帯端末１０から受信した発信ＩＤが示す通常モードに対応するコンテンツ「コンテンツＡ」を携帯端末１０へ配信する。例えば、サーバ１００は、コンテンツ「コンテンツＡ」として、通常時に用いる発信機４０が設置されたエリアの地図情報等と配信する。
【００３１】
図１中の中央に示す発信情報活用システム１においては、携帯端末１０は、発信機４０にモードをメンテナンスモードに変更するように指示する（ステップＳ２１）。このとき、携帯端末１０は、モードをメンテナンスモードに変更するように指示とともに端末ＩＤを発信機４０へ送信してもよい。発信機４０が携帯端末１０からモードをメンテナンスモードに変更する指示を受信した場合、発信機４０は、モードをメンテナンスモードに変更する（ステップＳ２２）。図１に示す例においては、発信機４０は、モードを通常モードからメンテナンスモードに変更する。なお、メンテナンスモードにおいて、発信機４０は、携帯端末１０等の外部装置からの指示に応じて、発信機４０のバッテリに関する情報等のメンテナンス情報を携帯端末１０等の外部装置に提供してもよい。
【００３２】
発信器４０のモードがメンテナンスモードに変更された後、携帯端末１０は、発信機４０が発信する発信ＩＤを受信する（ステップＳ２３）。図１に示す例において、携帯端末１０は、発信機４０がメンテナンスモードに対応する発信ＩＤを受信する。そして、携帯端末１０は、例えばユーザの操作に応じて、発信機４０から受信した発信ＩＤと携帯端末１０の端末ＩＤとをサーバ１００へ送信する（ステップＳ２４）。図１に示す例において、携帯端末１０は、発信機４０から受信したメンテナンスモードに対応する発信ＩＤと携帯端末１０の端末ＩＤとをサーバ１００へ送信する。
【００３３】
サーバ１００は、携帯端末１０から発信ＩＤと端末ＩＤとを受信した場合、受信した発信ＩＤが示すモードに対応するコンテンツを携帯端末１０へ配信する（ステップＳ２５）。図１に示す例においては、サーバ１００は、携帯端末１０から受信した発信ＩＤが示すメンテナンスモードに対応するコンテンツ「コンテンツＢ」を携帯端末１０へ配信する。例えば、サーバ１００は、コンテンツ「コンテンツＢ」として、メンテナンス時に用いる発信機４０が設置されたエリアの地図情報等と配信する。なお、発信機４０は、メンテナンスモード時において、携帯端末１０から端末ＩＤを受信した場合、発信ＩＤと端末ＩＤとをサーバ１００に送信し、サーバ１００が、発信ＩＤが示すメンテナンスモードに対応するコンテンツを端末ＩＤにより識別される携帯端末１０に配信してもよい。また、メンテナンスモードに設定された発信機４０が複数ある場合、メンテナンスモードに設定された１つの発信機４０が携帯端末１０から端末ＩＤを受信した際は、メンテナンスモードに設定された発信機４０が、例えば予め設定された順番に基づいて他の発信機４０へ発信ＩＤ等の情報を引き渡し、メンテナンスモードに設定された全ての発信機４０に関する情報をサーバ１００へ送信してもよい。この場合、サーバ１００がメンテナンスモードに設定された全ての発信機４０に関する情報を端末ＩＤにより識別される携帯端末１０に送信してもよい。また、メンテナンスモードに設定された全ての発信機４０に関する情報を所定の発信機４０が端末ＩＤにより識別される携帯端末１０に送信してもよい。
【００３４】
次に、図１の右側に示す商用電源ＣＰからの電力の供給が停止し、発信機４０が照明装置５０の蓄電池５３により電力が供給される給電方式である時（以下、「停電時」とする）に基づいて、発信機４０のモードが救助モードである場合について説明する。図１の右側に示すように、商用電源ＣＰによる電力の供給が停止し停電状態となる（ステップＳ３１）。この場合、照明装置５０は、商用電源ＣＰによる給電方式から蓄電池５３による給電方式に切り替わり、蓄電池駆動を行う（ステップＳ３２）。これにより、発信機４０への給電方式も商用電源ＣＰによる給電方式から蓄電池５３による給電方式に切り替わる。
【００３５】
給電方式が切り替わった場合、発信機４０は、モードを救助モードに変更する（ステップＳ３３）。図１に示す例において、発信機４０は、メンテナンスモードから救助モードへ変更する。なお、救助モードは、発信機４０が外部装置からの指示に応じて所定の処理を行う待機モードである。発信機４０は停電時などの非常時においてモードを救助モードに変更することにより、電力消費を抑制することができる。その後、ユーザの携帯端末１０は、救助モードに設定された発信機４０へ端末ＩＤを送信する（ステップＳ３４）。携帯端末１０から端末ＩＤを受信した発信機４０は、受信した端末ＩＤと発信ＩＤとをサーバ１００へ送信する（ステップＳ３５）。図１に示す例において、発信機４０は、携帯端末１０から受信した端末ＩＤと救助モードに対応する発信ＩＤとをサーバ１００へ送信する。このとき、端末ＩＤを受信した発信機４０とサーバ１００との距離が発信機４０の通信距離を超える場合、端末ＩＤを受信した発信機４０は、サーバ１００との間に配置された複数の他の発信機４０に、携帯端末１０から受信した端末ＩＤと救助モードに対応する発信ＩＤとを順次転送することにより、サーバ１００へ送信してもよい。
【００３６】
サーバ１００は、発信機４０から発信ＩＤと端末ＩＤとを受信した場合、受信した発信ＩＤに対応するコンテンツを携帯端末１０へ配信する（ステップＳ３６）。図１に示す例においては、サーバ１００は、発信機４０から受信した発信ＩＤが示す救助モードに対応するコンテンツ「コンテンツＣ」を携帯端末１０へ配信する。例えば、サーバ１００は、コンテンツ「コンテンツＣ」として、停電時に用いる発信機４０が設置されたエリアの避難経路情報等を携帯端末１０へ配信する。これにより、発信情報活用システム１は、発信機４０の配置箇所の状況に応じて適切な処理をすることができる。したがって、発信情報活用システム１は、ユーザの周囲の状況に応じて適切なコンテンツを配信することができる。なお、発信機４０は、通常モード、メンテナンスモード、及び救助モードは、各モード間で相互に遷移可能である。また、図１に示す例においては、携帯端末１０からの指示により発信機４０がモードを変更するが、サーバ１００等の種々の外部装置からの指示により発信機４０がモードを変更してもよい。また、図１においては、商用電源ＣＰから電力の供給が停止した場合に救助モードへ変更する例を示したが、救助モードへの変更は、携帯端末１０やサーバ１００等の種々の外部装置からの指示により行われてもよい。
【００３７】
［発信機の構成］
図２を用いて、発信機４０の構成を説明する。図２は、実施形態１に係る発信機の構成を示すブロック図である。以下に示す発信機４０は、発信ＩＤを発信する。図２に示すように、発信機４０は、発信部４１、通信部４２、記憶部４３、及び制御部４４を有する。以下に、これらの各部の処理を説明する。
【００３８】
発信部４１は、例えば、所定の発信回路等によって実現され、電波（例えば、マイクロ波等）を発信する機能を有する。また、発信部４１は、定期的に電波（情報）を発信する。
【００３９】
通信部４２は、例えば、所定の通信回路等によって実現される。通信部４２は、図示しない所定のネットワークと有線又は無線で接続される。そして、通信部４２は、図示しない所定のネットワークを介して、サーバ１００や他の発信機４０との間で情報の送受信を行ってもよい。また、通信部４２は、発信部４１と統合されてもよい受信部として構成してもよい。また、通信部４２は、Ｂｌｕｅｔｏｏｔｈ（登録商標）やＢＬＥ（Bluetooth（登録商標）  Low  Energy）等の無線通信技術により通信を行ってもよい。
【００４０】
記憶部４３は、制御部４４による各種処理に必要なデータおよびプログラムを格納する。また、記憶部４３は、例えば発信部４１により発信する発信ＩＤなど各種情報を格納する。なお、記憶部４３は、ＲＡＭ（Random  Access  Memory）、ＲＯＭ（Read  Only  Memory）、フラッシュメモリ（Flash  Memory）などの半導体メモリ素子などの記憶装置であってもよい。図３は、実施形態１に係る発信機の記憶部に記憶される情報の一例を示す図である。実施形態１に係る記憶部４３には、図３に示すように、発信機４０の複数のモード及び各モードに対応する複数の発信ＩＤが記憶される。図３に示すように、記憶部４３は、発信機４０のモードとして、「通常」、「メンテナンス」、及び「救助」等のモードを記憶する。また、記憶部４３は、モード「通常」に対応する発信ＩＤとして「Ｂ１１」を、モード「メンテナンス」に対応する発信ＩＤとして「Ｂ１２」を、モード「救助」に対応する発信ＩＤとして「Ｂ１３」等を記憶する。
【００４１】
制御部４４は、各種の処理手順などを規定したプログラムおよび所要データを格納するための内部メモリを有し、これらによって種々の処理を実行するが、特に本発明に密接に関連するものとしては、指示部４５と、受付部４６と、変更部４７とを有する。
【００４２】
指示部４５は、所定の情報を発信するように発信部４１に指示する。例えば、指示部４５は、設定されたモードに対応する発信ＩＤを発信するように発信部４１に指示する。具体的には、指示部４５は、記憶部４３に記憶されたモードのうち、変更部４７により発信機４０のモードとして設定されたモードに対応する発信ＩＤを発信するように発信部４１に指示する。また、指示部４５は、発信機４０のモードを示す情報を発信するように発信部４１に指示してもよい。また、指示部４５は、所定の情報を送信するように通信部４２に指示してもよい。例えば、指示部４５は、発信機４０のモードを示す情報を送信するように通信部４２に指示してもよい。
【００４３】
受付部４６は、携帯端末１０やサーバ１００等の外部装置からモードの変更に関する指示を受け付ける。また、受付部４６は、照明装置５０から給電方式に関する情報を受け付ける。例えば、受付部４６は、通信部４２や図示しない接続線等を介して照明装置５０から、給電方式が商用電源ＣＰによる電力供給か、蓄電池５３による電力供給かに関する情報を受け付ける。また、受付部４６は、例えば、通信部４２を介して所定の外部装置から各種の情報を受け付ける。
【００４４】
変更部４７は、受付部４６により携帯端末１０やサーバ１００等の外部装置からモードの変更に関する指示を受け付けられた場合、受け付けられた指示に応じてモードを変更する。また、変更部４７は、受付部４６により給電方式に関する情報が受け付けられた場合、受け付けられた給電方式に応じて発信機４０のモードを変更する。例えば、変更部４７は、受付部４６により給電方式が蓄電池による電力供給であることを示す情報が受け付けられた場合、記憶部４３に記憶されたモードのうち、停電時に対応するモード「救助」にモードを変更する。
【００４５】
［照明装置の構成］
続いて、図４及び図５を用いて、照明装置５０の構成を説明する。図４及び図５は、実施形態１に係る照明装置の構成を示す回路ブロック図である。具体的には、図４は、通常時における照明装置の構成を示す回路ブロック図である。また、具体的には、図５は、停電時における照明装置の構成を示す回路ブロック図である。図４及び図５に示すように、照明装置５０は、光源５１、判定部５２、蓄電池５３、及び点灯回路５４を有する。以下に、これらの各部の処理を説明する。
【００４６】
上述したように、光源５１は、例えば蛍光灯やＬＥＤ等である。また、判定部５２は、給電方式として、商用電源ＣＰによる電力供給か、蓄電池５３による電力供給かを判定する。なお、本実施形態における判定部５２は、商用電源ＣＰによる電力供給か、蓄電池５３による電力供給かを判定できれば、例えば停電検出回路等、種々の構成を有してもよい。また、判定部５２は、給電方式に関する情報を発信機４０へ送信する。例えば、判定部５２は、図示しない通信回路や接続線等を介して、発信機４０に給電方式が商用電源ＣＰによる電力供給か、蓄電池５３による電力供給かに関する情報を送信する。蓄電池５３は、判定部５２により商用電源ＣＰによる電力供給が停止したと判定された場合、発信機４０に対して電力を供給する。また、蓄電池５３には、目的に応じて種々の蓄電池が適宜用いられる。また、点灯回路５４は、光源５１の種類に応じて種々の点灯回路が適宜用いられる。
【００４７】
ここで、判定部５２は、給電方式に応じて、照明装置５０内のスイッチＳＷ１１，ＳＷ１２の接続を切り替える。この点について、以下に説明する。
【００４８】
図４は、通常時における照明装置５０におけるスイッチＳＷ１１，ＳＷ１２，ＳＷ１３の状態を示す。通常時において、スイッチＳＷ１１はノードＮ１１に接続し、スイッチＳＷ１２はノードＮ１３に接続しておらず、スイッチＳＷ１３はノードＮ１４に接続する。そのため、光源５１には商用電源ＣＰから電力が供給され、光源５１は点灯回路５４により点灯する。このとき、蓄電池５３にも商用電源ＣＰから電力が供給され、通常時においては、商用電源ＣＰにより蓄電池５３は充電を行う。また、発信機４０にも、商用電源ＣＰから電力が供給される。なお、照明装置５０が停電時などの非常時にのみ点灯する非常灯等の照明装置である場合、通常時において、スイッチＳＷ１１はノードＮ１１，Ｎ１２のいずれにも接続しなくてもよい。
【００４９】
また、図５は、停電時における照明装置５０におけるスイッチＳＷ１１，ＳＷ１２の状態を示す。停電時において、スイッチＳＷ１１はノードＮ１２に接続し、スイッチＳＷ１２はノードＮ１３に接続し、スイッチＳＷ１３はノードＮ１４に接続しない。そのため、光源５１には蓄電池５３から電力が供給され、光源５１は非常用点灯回路５５により点灯する。このとき、発信機４０にも、蓄電池５３から電力が供給される。
【００５０】
［サーバの構成例］
次に、図６を用いて、実施形態１に係るサーバ１００の構成について説明する。図６は、実施形態１に係るサーバの構成を示すブロック図である。図６に示すように、サーバ１００は、通信部１１０と、記憶部１２０と、制御部１３０とを有する。なお、サーバ１００は、サーバ１００の管理者等から各種操作を受け付ける入力部（例えば、キーボードやマウス等）や、各種情報を表示するための表示部（例えば、液晶ディスプレイ等）を有してもよい。
【００５１】
通信部１１０は、例えば、ＮＩＣ（Network  Interface  Card）によって実現される。通信部１１０は、図示しない所定のネットワークと有線又は無線で接続される。そして、通信部１１０は、図示しない所定のネットワークを介して、携帯端末１０等との間で情報の送受信を行う。
【００５２】
記憶部１２０は、例えば、ＲＡＭ、フラッシュメモリ等の半導体メモリ素子、または、ハードディスク、光ディスク等の記憶装置によって実現される。実施形態１に係る記憶部１２０は、図６に示すように、コンテンツ情報記憶部１２１を有する。
【００５３】
コンテンツ情報記憶部１２１は、コンテンツ情報を記憶する。図７は、実施形態１に係るコンテンツ情報記憶部に記憶される情報の一例を示す図である。図７に示すように、コンテンツ情報記憶部１２１は、コンテンツ情報として、「モード」、「発信ＩＤ」、「コンテンツ」といった項目を有する。
【００５４】
「モード」は、コンテンツに対応する発信機４０のモードを示す。「発信ＩＤ」は、モードに対応する発信ＩＤを示す。「コンテンツ」は、発信機４０のモードに対応付けられたコンテンツを示す。図７では「コンテンツ」に「コンテンツＡ」といった概念的な情報が格納される例を示すが、静止画像や動画像やテキストデータやＵＲＬ、又は、これらの格納場所を示すファイルパス名などが格納されてもよい。図７に示す例においては、モード「通常」には、発信ＩＤ「Ｂ１１」及びコンテンツ「コンテンツＡ」が関連付けられる。また、モード「メンテナンス」には、発信ＩＤ「Ｂ１２」及びコンテンツ「コンテンツＢ」が関連付けられ、モード「救助」には、発信ＩＤ「Ｂ１３」及びコンテンツ「コンテンツＣ」が関連付けられる。
【００５５】
図６の説明に戻って、制御部１３０は、各種の処理手順などを規定したプログラム及び所要データを格納するための内部メモリを有し、これらによって種々の処理を実行するが、特に本発明に密接に関連するものとしては、受信部１３１、抽出部１３２、及び送信部１３３を有する。
【００５６】
受信部１３１は、発信ＩＤや端末ＩＤを受信する。また、受信部１３１は、受信した発信ＩＤを抽出部１３２に受け渡す。また、受信部１３１は、発信ＩＤや端末ＩＤとともに発信機４０のモードを示す情報を受信してもよい。
【００５７】
抽出部１３２は、受信部１３１により発信ＩＤが受信された場合、コンテンツ情報記憶部１２１から受信した発信ＩＤに対応するコンテンツを抽出する。例えば、抽出部１３２は、発信ＩＤ「Ｂ１３」を受信した場合、コンテンツ情報記憶部１２１から発信ＩＤ「Ｂ１３」に対応するコンテンツ「コンテンツＣ」を抽出する。また、抽出部１３２は、受信部１３１により発信機４０のモードを示す情報が受信された場合、コンテンツ情報記憶部１２１から受信した発信機４０のモードに対応するコンテンツを抽出してもよい。
【００５８】
送信部１３３は、抽出部１３２により抽出されたコンテンツを端末ＩＤにより識別される携帯端末１０に配信する。例えば、送信部１３３は、抽出部１３２により発信ＩＤ「Ｂ１２」に対応するコンテンツ「コンテンツＢ」が抽出された場合、コンテンツ「コンテンツＢ」を端末ＩＤにより識別される携帯端末１０に配信する。また、例えば、送信部１３３は、抽出部１３２によりモード「救助」に対応するコンテンツ「コンテンツＣ」が抽出された場合、コンテンツ「コンテンツＣ」を端末ＩＤにより識別される携帯端末１０に配信する。
【００５９】
［携帯端末の構成］
続いて、図８を用いて、携帯端末１０の構成を説明する。図８は、実施形態１に係る携帯端末の構成を示すブロック図である。以下に示す携帯端末１０は、発信機４０から発信される発信ＩＤを受信したり、受信した発信ＩＤをサーバ１００へ送信したりする。図８に示すように、携帯端末１０は、通信部１１、記憶部１２、入力部１３、出力部１４、及び制御部１５を有する。以下に、これらの各部の処理を説明する。
【００６０】
通信部１１は、例えば、通信回路等によって実現される。そして、通信部１１は、外部の情報処理装置との間で情報の送受信を行う。例えば、通信部１１は、発信機４０やサーバ１００との間で情報の送受信を行う。通信部１１は、例えば、Ｂｌｕｅｔｏｏｔｈ（登録商標）やＢＬＥ等の無線通信技術により通信を行ってもよい。
【００６１】
記憶部１２は、制御部１５による各種処理に必要なデータおよびプログラムを格納する。また、記憶部１２は、例えば受信した発信ＩＤなど各種情報を格納する。なお、記憶部１２とは、ＲＡＭ、ＲＯＭ、フラッシュメモリなどの半導体メモリ素子、または、ハードディスク、光ディスクなどの記憶装置である。
【００６２】
入力部１３は、ユーザの操作が入力される。例えば、入力部１３は、携帯端末１０がタッチパネルの機能を有する場合、携帯端末１０の表示画面を介してユーザから各種操作を受け付ける。また、入力部１３は、音声認識の機能により携帯端末１０のマイクを介してユーザから各種操作を受け付けてもよい。
【００６３】
出力部１４は、例えば液晶ディスプレイや有機ＥＬ（Electro-Luminescence）ディスプレイ等によって実現される携帯端末１０の表示画面を備え、各種情報を表示する。例えば、出力部１４は、発信機４０から受信した発信ＩＤをサーバ１００に送信するかどうかを確認する画面を出力する。
【００６４】
制御部１５は、各種の処理手順などを規定したプログラムおよび所要データを格納するための内部メモリを有し、これらによって種々の処理を実行するが、特に本発明に密接に関連するものとしては、受信部１６と送信部１７とを有する。
【００６５】
受信部１６は、発信機４０から発信される発信ＩＤを受信する。また、受信部１６は、発信ＩＤとともに発信機４０のモードを示す情報を受信してもよい。送信部１７は、発信機４０から受信した発信ＩＤと携帯端末１０を識別する端末ＩＤとをサーバ１００に送信する。なお、送信部１７が発信ＩＤと端末ＩＤとをサーバ１００に送信するタイミングは、ユーザによる操作が行われた時点であってもよい。また、送信部１７は、発信ＩＤや端末ＩＤとともに発信機４０のモードを示す情報をサーバ１００に送信してもよい。
【００６６】
なお、携帯端末１０は、発信情報活用アプリケーションがインストールされたスマートフォンやタブレット端末等であってもよい。例えば、携帯端末１０が、発信情報活用アプリケーションがインストールされたスマートフォンである場合、制御部１５や記憶部１２については、携帯端末１０にインストールされた発信情報活用アプリケーションの機能であってもよい。
【００６７】
［発信情報活用システムによる処理］
次に、図９を用いて、実施形態１に係る発信情報活用システム１による発信情報活用処理を説明する。図９は、実施形態１に係る発信情報活用システムにおける発信情報活用処理の手順を示すシーケンス図である。
【００６８】
図９に示すように、携帯端末１０は、通常モードに設定された発信機４０から発信ＩＤを受信する（ステップＳ１０１）。例えば、携帯端末１０は、発信機４０から通常モードに対応する発信ＩＤ「Ｂ１１」を受信する。そして、発信機４０から発信ＩＤを受信した携帯端末１０は、受信した発信ＩＤと携帯端末１０を識別する端末ＩＤとをサーバ１００へ送信する（ステップＳ１０２）。例えば、発信機４０から発信ＩＤを受信した携帯端末１０は、受信した発信ＩＤ「Ｂ１１」と端末ＩＤとをサーバ１００へ送信する。
【００６９】
そして、サーバ１００は、発信ＩＤと端末ＩＤとを受信した場合、発信ＩＤに対応するコンテンツを抽出する（ステップＳ１０３）。例えば、サーバ１００は、携帯端末１０から発信ＩＤ「Ｂ１１」を受信した場合、発信ＩＤ「Ｂ１１」が示す通常モードに対応するコンテンツ「コンテンツＡ」を抽出する。
【００７０】
その後、サーバ１００は、抽出したコンテンツ「コンテンツＡ」を携帯端末１０へ配信する（ステップＳ１０４）。例えば、サーバ１００は、抽出したコンテンツ「コンテンツＡ」を、ステップＳ１０２で受信した端末ＩＤにより識別される携帯端末１０へ配信する。
【００７１】
その後、携帯端末１０は、発信機４０にモード変更を指示する（ステップＳ１０５）。例えば、携帯端末１０は、発信機４０にモードをメンテナンスモードに変更するように指示する。携帯端末１０からモード変更の指示がされた発信機４０は、モードを変更する（ステップＳ１０６）。例えば、携帯端末１０からモードをメンテナンスモードに変更するように指示された発信機４０は、モードをメンテナンスモードに変更する。
【００７２】
その後、携帯端末１０は、メンテナンスモードに設定された発信機４０から発信ＩＤを受信する（ステップＳ１０７）。例えば、携帯端末１０は、発信機４０からメンテナンスモードに対応する発信ＩＤ「Ｂ１２」を受信する。そして、発信機４０から発信ＩＤを受信した携帯端末１０は、受信した発信ＩＤと携帯端末１０を識別する端末ＩＤとをサーバ１００へ送信する（ステップＳ１０８）。例えば、発信機４０から発信ＩＤを受信した携帯端末１０は、受信した発信ＩＤ「Ｂ１２」と端末ＩＤとをサーバ１００へ送信する。
【００７３】
そして、サーバ１００は、発信ＩＤと端末ＩＤとを受信した場合、発信ＩＤに対応するコンテンツを抽出する（ステップＳ１０９）。例えば、サーバ１００は、携帯端末１０から発信ＩＤ「Ｂ１２」を受信した場合、発信ＩＤ「Ｂ１２」が示すメンテナンスモードに対応するコンテンツ「コンテンツＢ」を抽出する。
【００７４】
その後、サーバ１００は、抽出したコンテンツ「コンテンツＢ」を携帯端末１０へ配信する（ステップＳ１１０）。例えば、サーバ１００は、抽出したコンテンツ「コンテンツＢ」を、ステップＳ１０８で受信した端末ＩＤにより識別される携帯端末１０へ配信する。
【００７５】
その後、商用電源ＣＰから電力の供給が停止したと判定された場合、照明装置５０は、蓄電池駆動に給電方式を切り替える（ステップＳ１１１）。そして、照明装置５０は、発信機４０に給電方式が蓄電池駆動に変更されたことを通知し、発信機４０にモード変更を指示する（ステップＳ１１２）。
【００７６】
照明装置５０からモード変更の指示を受け付けた発信機４０は、モード変更の指示に応じてモードを変更する（ステップＳ１１３）。例えば、発信機４０は、照明装置５０から給電方式が商用電源駆動から蓄電池駆動に変更された際にモード変更の指示を受け付けた場合、モードを救助モードに変更する。その後、停電時において携帯端末１０は、発信機４０から発信ＩＤを受信する（ステップＳ１１４）。例えば、携帯端末１０は、発信機４０から救助モードに対応する発信ＩＤ「Ｂ１３」を受信する。そして、発信機４０から発信ＩＤを受信した携帯端末１０は、受信した発信ＩＤと携帯端末１０を識別する端末ＩＤとをサーバ１００へ送信する（ステップＳ１１５）。例えば、発信機４０から発信ＩＤを受信した携帯端末１０は、受信した発信ＩＤ「Ｂ１３」と端末ＩＤとをサーバ１００へ送信する。
【００７７】
そして、サーバ１００は、発信ＩＤと端末ＩＤとを受信した場合、発信ＩＤに対応するコンテンツを抽出する（ステップＳ１１６）。例えば、サーバ１００は、携帯端末１０から発信ＩＤ「Ｂ１３」を受信した場合、発信ＩＤ「Ｂ１３」に対応するコンテンツ「コンテンツＣ」を抽出する。
【００７８】
その後、サーバ１００は、抽出したコンテンツ「コンテンツＣ」を携帯端末１０へ配信する（ステップＳ１１７）。例えば、サーバ１００は、抽出したコンテンツ「コンテンツＣ」を、ステップＳ１１５で受信した端末ＩＤにより識別される携帯端末１０へ配信する。
【００７９】
［実施形態１の効果］
上述のように、実施形態１に係る発信情報活用システム１は、発信機４０と、情報処理装置とを具備する。発信機４０は、受信側での処理に用いられる発信情報（実施形態においては、「発信ＩＤ」。以下同じ）が割り当てられ、所定の条件に基づいてモードを変更する。情報処理装置は、発信情報を受信した場合、発信機４０のモードに基づく処理を行う。
【００８０】
これにより、発信情報活用システム１は、発信機４０の配置箇所の状況に応じて適切な処理をすることができる。
【００８１】
また、実施形態１に係る発信情報活用システム１は、携帯端末１０と、情報処理装置としてサーバ１００と、をさらに具備する。携帯端末１０は、携帯端末１０を識別する端末情報と発信機４０から受信した発信情報とをサーバ１００へ送信し、サーバ１００は、携帯端末１０から発信情報と携帯端末１０を識別する端末情報（実施形態においては、「端末ＩＤ」。以下同じ）とを受信した場合、発信機４０のモードに基づく所定の処理を行う。
【００８２】
これにより、発信情報活用システム１は、ユーザの周囲の状況に応じてサーバ１００に適切な処理を行わせることができる。
【００８３】
また、実施形態１に係る発信情報活用システム１は、携帯端末１０と、情報処理装置としてサーバ１００と、をさらに具備する。携帯端末１０は、携帯端末１０を識別する端末情報を発信機４０へ送信し、サーバ１００は、発信機４０から発信情報と携帯端末１０を識別する端末情報とを受信した場合、発信機４０のモードに基づく所定の処理を行う。
【００８４】
これにより、発信情報活用システム１は、ユーザの周囲の状況に応じてサーバ１００に適切な処理を行わせることができる。
【００８５】
また、実施形態１に係る発信情報活用システム１において、サーバ１００は、発信情報と端末情報とを受信した場合、端末情報により識別される携帯端末１０又は携帯端末１０に関連付けられた他の携帯端末に対して、発信機４０のモードに基づく処理を行う。
【００８６】
これにより、発信情報活用システム１は、ユーザの周囲の状況に応じて、ユーザの携帯端末１０や他のユーザの携帯端末１０に対してサーバ１００に適切な処理を行わせることができる。
【００８７】
また、実施形態１に係る発信情報活用システム１において、サーバ１００は、発信機４０のモードに基づく処理として、端末情報により識別される携帯端末１０又は携帯端末１０に関連付けられた他の携帯端末に対して、発信機４０のモードに基づくコンテンツを提供する。
【００８８】
これにより、発信情報活用システム１は、ユーザの周囲の状況に応じて適切なコンテンツを配信することができる。
【００８９】
また、実施形態１に係る発信情報活用システム１において、発信機４０は、サーバ１００による指示に応じて、モードを変更する。
【００９０】
これにより、発信情報活用システム１は、ユーザの周囲の状況に応じて適切なモードに変更することができる。
【００９１】
また、実施形態１に係る発信情報活用システム１において、発信機４０は、携帯端末１０による指示に応じて、モードを変更する。
【００９２】
これにより、発信情報活用システム１は、ユーザの周囲の状況に応じて適切なモードに変更することができる。
【００９３】
また、実施形態１に係る発信情報活用システム１において、発信機４０は、モードの変更に応じて発信情報を変更する。
【００９４】
これにより、発信情報活用システム１は、ユーザの周囲の状況に応じて適切なモードに変更することができる。
【００９５】
また、実施形態１に係る発信情報活用システム１において、発信機４０は、発信情報を発信する発信モードと、外部装置からの指示に応じて所定の処理を行う待機モードとを含むモードを所定の条件に応じて変更する。
【００９６】
これにより、発信情報活用システム１は、ユーザの周囲の状況に応じて適切なモードに変更することができる。
【００９７】
また、実施形態１に係る発信情報活用システム１は、判定機構をさらに具備する。判定機構は、所定の装置への給電方式を判定する。発信機４０は、判定機構により判定される給電方式に応じて、モードを変更する。
【００９８】
これにより、発信情報活用システム１は、給電方式に応じて適切なモードに変更することができる。
【００９９】
また、実施形態１に係る発信情報活用システム１において、蓄電池５３をさらに具備する。判定機構は、給電方式として、商用電源ＣＰによる電力供給か、蓄電池５３による電力供給かを判定する。
【０１００】
これにより、発信情報活用システム１は、商用電源ＣＰによる電力供給か、蓄電池５３による電力供給かの判定に応じて適切なモードに変更することができる。
【０１０１】
また、実施形態１に係る発信情報活用システム１において、所定の装置として照明装置５０を具備する。照明装置５０は、光源５１と、判定機構としての判定部５２と、蓄電池５３とを具備する。蓄電池５３は、判定部５２により商用電源ＣＰによる電力供給が停止したと判定された場合、発信機４０に対して電力を供給する。
【０１０２】
これにより、発信情報活用システム１は、停電時においても発信機４０を動作させることができる。
【０１０３】
［実施形態２］
実施形態１に係る発信情報活用システム１においては、サーバ１００が発信機４０のモードに基づくコンテンツを携帯端末１０に配信する例を示した。一方、実施形態２に係る発信情報活用システム２においては、携帯端末１０Ａが発信機４０から受信した発信ＩＤが示すモードに基づいて所定の処理を行う点において実施形態１と相違する。この点について、図１０〜図１３に基づいて説明する。なお、実施形態１と同一部分には、同一符号を付して説明を省略する。
【０１０４】
図１０は、実施形態２に係る発信情報活用システムの概略構成を示す図である。図１０では、携帯端末１０Ａが発信機４０から発信ＩＤを受信し、携帯端末１０Ａが、発信ＩＤが示すモードに基づくアプリケーション（以下、単に「アプリ」と称する場合がある）に関する処理を行うように指示する例を示す。
【０１０５】
図１０中の左側に示す発信情報活用システム２においては、発信機４０のモードが通常モードであり、商用電源ＣＰから電力が供給される状態において、ユーザの携帯端末１０Ａは、発信機４０が発信する発信ＩＤを受信する（ステップＳ４１）。図１に示す例において、携帯端末１０Ａは、発信機４０から通常モードに対応する発信ＩＤを受信する。発信機４０から発信ＩＤを受信した携帯端末１０Ａは、発信ＩＤが示すモードに対応するアプリを起動する（ステップＳ４２）。図１に示す例において、携帯端末１０Ａは、受信した発信ＩＤが示す通常モードに対応するアプリ「アプリＡ」を起動するように指示する。例えば、携帯端末１０Ａは、アプリ「アプリＡ」として、通常時に用いる発信機４０が設置されたエリアの地図情報等を表示するアプリを起動する。
【０１０６】
図１０中の中央に示す発信情報活用システム２においては、携帯端末１０Ａは、発信機４０にモードをメンテナンスモードに変更するように指示する（ステップＳ５１）。このとき、携帯端末１０Ａは、モードをメンテナンスモードに変更する指示とともに端末ＩＤを発信機４０へ送信してもよい。発信機４０が携帯端末１０Ａからモードをメンテナンスモードに変更する指示を受信した場合、発信機４０は、モードをメンテナンスモードに変更する（ステップＳ５２）。図１０に示す例においては、発信機４０は、モードを通常モードからメンテナンスモードに変更する。
【０１０７】
発信器４０のモードがメンテナンスモードに変更された後、携帯端末１０Ａは、発信機４０が発信する発信ＩＤを受信する（ステップＳ５３）。図１０に示す例において、携帯端末１０Ａは、発信機４０からメンテナンスモードに対応する発信ＩＤを受信する。発信機４０から発信ＩＤを受信した携帯端末１０Ａは、発信ＩＤが示すモードに対応するアプリを起動する（ステップＳ５４）。図１に示す例において、携帯端末１０Ａは、受信した発信ＩＤが示すメンテナンスモードに対応するアプリ「アプリＢ」を起動するように指示する。例えば、携帯端末１０Ａは、アプリ「アプリＢ」として、メンテナンス時に用いる発信機４０が設置されたエリアの地図情報等を表示するアプリを起動する。
【０１０８】
次に、図１０の右側に示す停電時、すなわち発信機４０のモードが救助モードである場合について説明する。図１０の右側に示すように、商用電源ＣＰによる電力の供給が停止し停電状態となる（ステップＳ６１）。この場合、照明装置５０は、商用電源ＣＰによる給電方式から蓄電池５３による給電方式に切り替わり、蓄電池駆動を行う（ステップＳ６２）。これにより、発信機４０への給電方式も商用電源ＣＰによる給電方式から蓄電池５３による給電方式に切り替わる。
【０１０９】
給電方式が切り替わった場合、発信機４０は、モードを救助モードに変更する（ステップＳ６３）。図１に示す例において、発信機４０は、メンテナンスモードから救助モードへ変更する。その後、携帯端末１０Ａは、救助モードに設定された発信機４０へ端末ＩＤを送信する（ステップＳ６４）。その後、携帯端末１０Ａは、発信機４０が発信する発信ＩＤを受信する（ステップＳ６５）。つまり、携帯端末１０Ａから端末ＩＤを受信した発信機４０は、受信した端末ＩＤにより識別される携帯端末１０Ａに発信ＩＤを送信する。図１に示す例において、発信機４０は救助モードに対応する発信ＩＤを携帯端末１０Ａに送信する。
【０１１０】
発信機４０から発信ＩＤを受信した携帯端末１０Ａは、発信ＩＤが示すモードに対応するアプリを起動する（ステップＳ６６）。図１に示す例において、携帯端末１０Ａは、受信した発信ＩＤが示す救助モードに対応するアプリ「アプリＣ」を起動するように指示する。例えば、携帯端末１０Ａは、アプリ「アプリＣ」として、停電時に用いる発信機４０が設置されたエリアの避難経路情報等を表示するアプリを起動する。
【０１１１】
続いて、図１１を用いて、携帯端末１０Ａの構成を説明する。図１１は、実施形態２に係る携帯端末の構成を示すブロック図である。図１１に示すように、携帯端末１０Ａは、制御部１５に起動部１８を有する点において、携帯端末１０と相違する。起動部１８は、受信部１６により発信ＩＤを受信した場合、発信ＩＤが示す発信機４０のモードに対応するアプリに関する情報を記憶部１２から抽出し、抽出したアプリを起動する。例えば、起動部１８は、受信部１６によりモード「メンテナンス」に対応する発信ＩＤが受信された場合、モード「メンテナンス」に対応するアプリＢを起動する。
【０１１２】
図１２は、実施形態２に係る携帯端末の記憶部に記憶される情報の一例を示す図である。図１２に示すように、携帯端末１０Ａの記憶部１２には、アプリ情報として、「モード」、「発信ＩＤ」、「アプリ」といった項目を有する。
【０１１３】
「モード」は、アプリに対応する発信機４０のモードを示す。「発信ＩＤ」は、モードに対応する発信ＩＤを示す。「アプリ」は、発信機４０のモードに対応付けられたアプリの名称を示す。図１２に示す例においては、モード「通常」には、発信ＩＤ「Ｂ２１」及びアプリ「アプリＡ」が関連付けられる。また、モード「メンテナンス」には、発信ＩＤ「Ｂ２２」及びアプリ「アプリＢ」が関連付けられ、モード「救助」には、発信ＩＤ「Ｂ２３」及びアプリ「アプリＣ」が関連付けられる。
【０１１４】
［発信情報活用システムによる処理］
次に、図１３を用いて、実施形態２に係る発信情報活用システム２による発信情報活用処理を説明する。図１３は、実施形態２に係る発信情報活用システムにおける発信情報活用処理の手順を示すシーケンス図である。
【０１１５】
図１３に示すように、携帯端末１０Ａは、通常モードに設定された発信機４０から発信ＩＤを受信する（ステップＳ２０１）。例えば、携帯端末１０Ａは、発信機４０から発信ＩＤ「Ｂ２１」を受信する。そして、発信機４０から発信ＩＤを受信した携帯端末１０Ａは、発信ＩＤが示すモードに対応するアプリ情報を抽出する（ステップＳ２０２）。例えば、携帯端末１０Ａは、発信機４０から発信ＩＤ「Ｂ２１」を受信した場合、発信ＩＤ「Ｂ２１」が示す通常モードに対応するアプリ「アプリＡ」を抽出する。その後、携帯端末１０Ａは、抽出したアプリＡを起動する（ステップＳ２０３）。
【０１１６】
その後、携帯端末１０Ａは、発信機４０にモード変更を指示する（ステップＳ２０４）。例えば、携帯端末１０Ａは、発信機４０にモードをメンテナンスモードに変更するように指示する。携帯端末１０Ａからモード変更の指示がされた発信機４０は、モードを変更する（ステップＳ２０５）。例えば、携帯端末１０Ａからモードをメンテナンスモードに変更するように指示された発信機４０は、モードをメンテナンスモードに変更する。
【０１１７】
その後、携帯端末１０Ａは、メンテナンスモードに設定された発信機４０から発信ＩＤを受信する（ステップＳ２０６）。例えば、携帯端末１０Ａは、発信機４０からメンテナンスモードに対応する発信ＩＤ「Ｂ２２」を受信する。そして、発信機４０から発信ＩＤを受信した携帯端末１０Ａは、発信ＩＤが示すモードに対応するアプリ情報を抽出する（ステップＳ２０７）。例えば、携帯端末１０Ａは、発信機４０から発信ＩＤ「Ｂ２２」を受信した場合、発信ＩＤ「Ｂ２２」が示すメンテナンスモードに対応するアプリ「アプリＢ」を抽出する。その後、携帯端末１０Ａは、抽出したアプリＢを起動する（ステップＳ２０８）。
【０１１８】
その後、商用電源ＣＰから電力の供給が停止したと判定された場合、照明装置５０は、蓄電池駆動に給電方式を切り替える（ステップＳ２０９）。そして、照明装置５０は、発信機４０に給電方式が蓄電池駆動に変更されたことを通知し、発信機４０にモード変更を指示する（ステップＳ２１０）。
【０１１９】
照明装置５０からモード変更の指示を受け付けた発信機４０は、モード変更の指示に応じてモードを変更する（ステップＳ２１１）。例えば、発信機４０は、照明装置５０から給電方式が商用電源駆動から蓄電池駆動に変更された際にモード変更の指示を受け付けた場合、モードを救助モードに変更する。その後、停電時において携帯端末１０Ａは、発信機４０に端末ＩＤを送信する（ステップＳ２１２）。携帯端末１０Ａから端末ＩＤを受信した発信機４０は、携帯端末１０Ａへ発信ＩＤを送信する（ステップＳ２１３）。例えば、携帯端末１０Ａは、発信機４０から救助モードに対応する発信ＩＤ「Ｂ２３」を受信する。そして、発信機４０から発信ＩＤを受信した携帯端末１０Ａは、発信ＩＤが示すモードに対応するアプリ情報を抽出する（ステップＳ２１４）。例えば、携帯端末１０Ａは、発信機４０から発信ＩＤ「Ｂ２３」を受信した場合、発信ＩＤ「Ｂ２３」が示す救助モードに対応するアプリ「アプリＣ」を抽出する。その後、携帯端末１０Ａは、抽出したアプリＣを起動する（ステップＳ２１５）。
【０１２０】
［実施形態２の効果］
上述のように、実施形態２に係る発信情報活用システム２は、発信機４０と、情報処理装置とを具備する。発信機４０は、受信側での処理に用いられる発信情報が割り当てられ、所定の条件に基づいてモードを変更する。情報処理装置は、発信情報を受信した場合、発信機４０のモードに基づく処理を行う。
【０１２１】
これにより、発信情報活用システム２は、発信機４０の配置箇所の状況に応じて適切な処理をすることができる。
【０１２２】
また、実施形態２に係る発信情報活用システム２は、情報処理装置として携帯端末１０Ａを具備する。携帯端末１０Ａは、発信機４０により発信される発信情報を受信した場合、発信機４０のモードに基づくアプリケーションに関する処理を行う。
【０１２３】
これにより、発信情報活用システム２は、ユーザの周囲の状況に応じて携帯端末１０Ａに適切な処理を行わせることができる。
【０１２４】
また、実施形態２に係る発信情報活用システム２において、発信機４０は、携帯端末１０Ａによる指示に応じて、モードを変更する。
【０１２５】
これにより、発信情報活用システム２は、ユーザの周囲の状況に応じて適切なモードに変更することができる。
【０１２６】
また、実施形態２に係る発信情報活用システム２において、発信機４０は、モードの変更に応じて発信情報を変更する。
【０１２７】
これにより、発信情報活用システム２は、ユーザの周囲の状況に応じて適切なモードに変更することができる。
【０１２８】
また、実施形態２に係る発信情報活用システム２において、発信機４０は、発信情報を発信する発信モードと、外部装置からの指示に応じて所定の処理を行う待機モードとを含むモードを所定の条件に応じて変更する。
【０１２９】
これにより、発信情報活用システム２は、ユーザの周囲の状況に応じて適切なモードに変更することができる。
【０１３０】
また、実施形態２に係る発信情報活用システム２は、判定機構をさらに具備する。判定機構は、所定の装置への給電方式を判定する。発信機４０は、判定機構により判定される給電方式に応じて、モードを変更する。
【０１３１】
これにより、発信情報活用システム２は、給電方式に応じて適切なモードに変更することができる。
【０１３２】
また、実施形態２に係る発信情報活用システム２において、蓄電池５３をさらに具備する。判定機構は、給電方式として、商用電源ＣＰによる電力供給か、蓄電池５３による電力供給かを判定する。
【０１３３】
これにより、発信情報活用システム２は、商用電源ＣＰによる電力供給か、蓄電池５３による電力供給かの判定に応じて適切なモードに変更することができる。
【０１３４】
また、実施形態２に係る発信情報活用システム２において、所定の装置として照明装置５０を具備する。照明装置５０は、光源５１と、判定機構としての判定部５２と、蓄電池５３とを具備する。蓄電池５３は、判定部５２により商用電源ＣＰによる電力供給が停止したと判定された場合、発信機４０に対して電力を供給する。
【０１３５】
これにより、発信情報活用システム２は、停電時においても発信機４０を動作させることができる。
【０１３６】
［実施形態３］
実施形態１，２に係る発信情報活用システム１，２においては、端末ＩＤに対応する携帯端末１０，１０Ａに対して所定の処理を行う例を示した。一方、実施形態３に係る発信情報活用システム３においては、端末ＩＤにより識別される携帯端末１０Ｂと関連付けられた他の携帯端末１０Ｃに対して所定の処理を行う点において実施形態１，２と相違する。この点について、図１４〜図１７に基づいて説明する。なお、実施形態１，２と同一部分には、同一符号を付して説明を省略する。
【０１３７】
図１４は、実施形態３に係る発信情報活用システムの概略構成を示す図である。また、図１４に示す例においては、サーバ１００Ａが携帯端末１０Ｂと関連付けられた他の携帯端末１０Ｃに、コンテンツを配信する場合を例に示す。具他的には、発信機４０のモードが通常モードの場合、サーバ１００Ａは、携帯端末１０Ｂにコンテンツを配信し、発信機４０のモードが救助モードの場合、サーバ１００Ａは、携帯端末１０Ｃにコンテンツを配信する例を示す。なお、サーバ１００Ａが携帯端末１０Ｂや携帯端末１０Ｃに行う所定の処理は、上記に限らず、アプリケーションに関する指示等、目的に応じて種々の処理を適宜選択してもよい。
【０１３８】
図１４中の左側に示す発信情報活用システム３においては、発信機４０のモードが通常モードであり、商用電源ＣＰから電力が供給される状態において、ユーザの携帯端末１０Ｂは、発信機４０が発信する発信ＩＤを受信する（ステップＳ７１）。図１４に示す例において、携帯端末１０Ｂは、発信機４０から通常モードに対応する発信ＩＤを受信する。そして、携帯端末１０Ｂは、例えばユーザの操作に応じて、発信機４０から受信した発信ＩＤと携帯端末１０Ｂの端末ＩＤとをサーバ１００Ａへ送信する（ステップＳ７２）。図１に示す例において、携帯端末１０Ｂは、発信機４０から受信した通常モードに対応する発信ＩＤと携帯端末１０Ｂの端末ＩＤとをサーバ１００Ａへ送信する。
【０１３９】
サーバ１００Ａは、携帯端末１０Ｂから発信ＩＤと端末ＩＤとを受信した場合、受信した発信ＩＤが示すモードに対応するコンテンツを携帯端末１０Ｂへ配信する（ステップＳ７３）。図１に示す例においては、サーバ１００Ａは、携帯端末１０Ｂから受信した発信ＩＤが示す通常モードに対応するコンテンツ「コンテンツＡ」を携帯端末１０Ｂへ配信する。例えば、サーバ１００Ａは、コンテンツ「コンテンツＡ」として、通常時に用いる発信機４０が設置されたエリアの地図情報等を配信する。
【０１４０】
次に、図１４の右側に示す停電時、すなわち発信機４０のモードが救助モードである場合について説明する。図１４の右側に示すように、商用電源ＣＰによる電力の供給が停止し停電状態となる（ステップＳ８１）。この場合、照明装置５０は、商用電源ＣＰによる給電方式から蓄電池５３による給電方式に切り替わり、蓄電池駆動を行う（ステップＳ８２）。これにより、発信機４０への給電方式も商用電源ＣＰによる給電方式から蓄電池５３による給電方式に切り替わる。
【０１４１】
給電方式が切り替わった場合、発信機４０は、モードを救助モードに変更する（ステップＳ８３）。図１４に示す例において、発信機４０は、通常モードから救助モードへ変更する。その後、携帯端末１０Ｂは、救助モードに設定された発信機４０へ端末ＩＤを送信する（ステップＳ８４）。携帯端末１０Ｂから端末ＩＤを受信した発信機４０は、受信した端末ＩＤと発信ＩＤとをサーバ１００Ａへ送信する（ステップＳ８５）。図１４に示す例において、発信機４０は、携帯端末１０Ｂから受信した端末ＩＤと救助モードに対応する発信ＩＤとをサーバ１００Ａへ送信する。
【０１４２】
サーバ１００Ａは、発信機４０から発信ＩＤと端末ＩＤとを受信した場合、受信した発信ＩＤに対応するコンテンツを、携帯端末１０Ｂと関連付けられた他の携帯端末１０Ｃに配信する（ステップＳ８６）。図１４に示す例においては、サーバ１００Ａは、発信機４０から受信した端末ＩＤに関連付けられた端末ＩＤにより識別される携帯端末１０Ｃに、受信した発信ＩＤが示す救助モードに対応するコンテンツ「コンテンツＣ」を配信する。
例えば、サーバ１００Ａは、コンテンツ「コンテンツＣ」として、停電時に用いる発信機４０が設置されたエリアの避難経路情報等を携帯端末１０Ｃに配信する。これにより、発信情報活用システム３は、発信機の配置箇所の状況に応じて適切な処理をすることができる。したがって、発信情報活用システム３は、ユーザの周囲の状況に応じて他のユーザに適切な処理を行うことができる。例えば、携帯端末１０Ｂのユーザが、停電等の非常時において移動不可能な場合、他のユーザが所有する携帯端末１０Ｃに携帯端末１０Ｂのユーザの位置等を通知する処理を行うことにより、携帯端末１０Ｂのユーザの救助を行うことができる。
【０１４３】
次に、図１５を用いて、実施形態３に係るサーバ１００Ａの構成について説明する。図１５は、実施形態３に係るサーバの構成を示すブロック図である。図１５に示すように、サーバ１００Ａは、記憶部１２０Ａにグループ情報記憶部１２２を有する点において、サーバ１００と相違する。
【０１４４】
実施形態３に係る記憶部１２０Ａは、図１５に示すように、グループ情報記憶部１２２を有する。グループ情報記憶部１２２は、端末ＩＤ間の関連付けに基づくグループに関する情報を記憶する。図１６は、実施形態３に係るグループ情報記憶部に記憶される情報の一例を示す図である。図１６に示すように、グループ情報記憶部１２２は、グループ情報として、「グループＩＤ」、「ユーザＩＤ」といった項目を有する。
【０１４５】
「グループＩＤ」は、グループを識別する情報を示す。「ユーザＩＤ」は、対応するグループに属するユーザを識別する情報を示す。図１６に示す例においては、「ユーザＩＤ」には、端末ＩＤが用いられる。以下、ユーザＩＤを端末ＩＤとする場合がある。図１６に示す例においては、グループＩＤ「Ｇ１１」には、ユーザＩＤ「Ｕ１１」により識別されるユーザとユーザＩＤ「Ｕ１２」により識別されるユーザとが属する。つまり、ユーザＩＤ「Ｕ１１」により識別されるユーザとユーザＩＤ「Ｕ１２」により識別されるユーザとが関連付けられる。なお、一人のユーザが複数のグループに属してもよい。
【０１４６】
抽出部１３２は、受信部１３１により端末ＩＤが受信された場合、グループ情報記憶部１２２から受信したユーザＩＤに関連付けられたユーザＩＤを抽出する。例えば、抽出部１３２は、ユーザＩＤ「Ｕ１１」を受信した場合、グループ情報記憶部１２２からユーザＩＤ「Ｕ１１」に関連付けられたユーザＩＤ「Ｕ１２」を抽出する。
【０１４７】
送信部１３３は、抽出部１３２により抽出された端末ＩＤにより識別される携帯端末１０Ｃに、抽出部１３２により抽出されたコンテンツを配信する。例えば、送信部１３３は、抽出部１３２により発信ＩＤ「Ｂ１３」が示す救助モードに対応するコンテンツ「コンテンツＣ」が抽出され、端末ＩＤ「Ｕ１２」が抽出された場合、コンテンツ「コンテンツＣ」を、端末ＩＤ「Ｕ１２」により識別される携帯端末１０Ｃに配信する。
【０１４８】
［発信情報活用システムによる処理］
次に、図１７を用いて、実施形態３に係る発信情報活用システム３による発信情報活用処理を説明する。図１７は、実施形態３に係る発信情報活用システムにおける発信情報活用処理の手順を示すシーケンス図である。
【０１４９】
図１７に示すように、携帯端末１０Ｂは、通常モードに設定された発信機４０から発信ＩＤを受信する（ステップＳ３０１）。例えば、携帯端末１０Ｂは、発信機４０から通常モードに対応する発信ＩＤ「Ｂ１１」を受信する。そして、発信機４０から発信ＩＤを受信した携帯端末１０Ｂは、受信した発信ＩＤと携帯端末１０Ｂを識別する端末ＩＤとをサーバ１００Ａへ送信する（ステップＳ３０２）。例えば、発信機４０から発信ＩＤを受信した携帯端末１０Ｂは、受信した発信ＩＤ「Ｂ１１」と端末ＩＤとをサーバ１００Ａへ送信する。
【０１５０】
そして、サーバ１００Ａは、発信ＩＤと端末ＩＤとを受信した場合、発信ＩＤに対応するコンテンツを抽出する（ステップＳ３０３）。例えば、サーバ１００Ａは、携帯端末１０Ｂから発信ＩＤ「Ｂ１１」を受信した場合、発信ＩＤ「Ｂ１１」が示す通常モードに対応するコンテンツ「コンテンツＡ」を抽出する。
【０１５１】
その後、サーバ１００Ａは、抽出したコンテンツ「コンテンツＡ」を携帯端末１０Ｂへ配信する（ステップＳ３０４）。例えば、サーバ１００Ａは、抽出したコンテンツ「コンテンツＡ」を、ステップＳ３０２で受信した端末ＩＤにより識別される携帯端末１０Ｂへ配信する。
【０１５２】
その後、商用電源ＣＰから電力の供給が停止したと判定された場合、照明装置５０は、蓄電池駆動に給電方式を切り替える（ステップＳ３０５）。そして、照明装置５０は、発信機４０に給電方式が蓄電池駆動に変更されたことを通知し、発信機４０にモード変更を指示する（ステップＳ３０６）。
【０１５３】
照明装置５０からモード変更の指示を受け付けた発信機４０は、モード変更の指示に応じてモードを変更する（ステップＳ３０７）。例えば、発信機４０は、照明装置５０から給電方式が商用電源駆動から蓄電池駆動に変更された際にモード変更の指示を受け付けた場合、モードを救助モードに変更する。その後、停電時において携帯端末１０Ｂは、発信機４０から発信ＩＤを受信する（ステップＳ３０８）。例えば、携帯端末１０Ｂは、発信機４０から救助モードに対応する発信ＩＤ「Ｂ１３」を受信する。そして、発信機４０から発信ＩＤを受信した携帯端末１０Ｂは、受信した発信ＩＤと携帯端末１０Ｂを識別する端末ＩＤとをサーバ１００Ａへ送信する（ステップＳ３０９）。例えば、発信機４０から発信ＩＤを受信した携帯端末１０Ｂは、受信した発信ＩＤ「Ｂ１３」と端末ＩＤとをサーバ１００Ａへ送信する。
【０１５４】
そして、サーバ１００Ａは、発信ＩＤと端末ＩＤとを受信した場合、発信ＩＤに対応するコンテンツを抽出する（ステップＳ３１０）。例えば、サーバ１００Ａは、携帯端末１０Ｂから発信ＩＤ「Ｂ１３」を受信した場合、発信ＩＤ「Ｂ１３」に対応するコンテンツ「コンテンツＣ」を抽出する。また、サーバ１００Ａは、発信ＩＤと端末ＩＤとを受信した場合、端末ＩＤに対応するグループ情報を抽出する（ステップＳ３１１）。例えば、サーバ１００Ａは、発信機４０から端末ＩＤ「Ｕ１１」を受信した場合、端末ＩＤ「Ｕ１１」により識別されるユーザが属するグループＩＤ「Ｇ１１」により識別されるグループに属する他のユーザを識別する端末ＩＤ「Ｕ１２」を抽出する。その後、サーバ１００Ａは、抽出したコンテンツ「コンテンツＣ」を、携帯端末１０Ｂに関連付けられた他の携帯端末１０Ｃに配信する（ステップＳ３１２）。例えば、サーバ１００Ａは、抽出したコンテンツ「コンテンツＣ」を、ステップＳ３０９で受信した端末ＩＤに関連付けられた端末ＩＤにより識別される携帯端末１０Ｃへ配信する。
【０１５５】
［実施形態３の効果］
上述のように、実施形態３に係る発信情報活用システム３は、発信機４０と、情報処理装置とを具備する。発信機４０は、受信側での処理に用いられる発信情報が割り当てられ、所定の条件に基づいてモードを変更する。情報処理装置は、発信情報を受信した場合、発信機４０のモードに基づく処理を行う。
【０１５６】
これにより、発信情報活用システム３は、発信機４０の配置箇所の状況に応じて適切な処理をすることができる。
【０１５７】
また、実施形態３に係る発信情報活用システム３は、携帯端末１０Ｂと、情報処理装置としてサーバ１００Ａと、をさらに具備する。携帯端末１０Ｂは、携帯端末１０Ｂを識別する端末情報と発信機４０から受信した発信情報とをサーバ１００Ａへ送信し、サーバ１００Ａは、携帯端末１０Ｂから発信情報と携帯端末１０Ｂを識別する端末情報とを受信した場合、発信機４０のモードに基づく所定の処理を行う。
【０１５８】
これにより、発信情報活用システム３は、ユーザの周囲の状況に応じてサーバ１００Ａに適切な処理を行わせることができる。
【０１５９】
また、実施形態３に係る発信情報活用システム３は、携帯端末１０Ｂと、情報処理装置としてサーバ１００Ａと、をさらに具備する。携帯端末１０Ｂは、携帯端末１０Ｂを識別する端末情報を発信機４０へ送信し、サーバ１００Ａは、発信機４０から発信情報と携帯端末１０Ｂを識別する端末情報とを受信した場合、発信機４０のモードに基づく所定の処理を行う。
【０１６０】
これにより、発信情報活用システム３は、ユーザの周囲の状況に応じてサーバ１００Ａに適切な処理を行わせることができる。
【０１６１】
また、実施形態３に係る発信情報活用システム３において、サーバ１００Ａは、発信情報と端末情報とを受信した場合、端末情報により識別される携帯端末１０Ｂ又は携帯端末１０Ｂに関連付けられた他の携帯端末１０Ｃに対して、発信機４０のモードに基づく処理を行う。
【０１６２】
これにより、発信情報活用システム３は、ユーザの周囲の状況に応じて、ユーザの携帯端末１０Ｂや他のユーザの携帯端末１０Ｃに対してサーバ１００Ａに適切な処理を行わせることができる。
【０１６３】
また、実施形態３に係る発信情報活用システム３において、サーバ１００Ａは、発信機４０のモードに基づく処理として、端末情報により識別される携帯端末１０Ｂ又は携帯端末１０Ｂに関連付けられた他の携帯端末１０Ｃに対して、発信機４０のモードに基づくコンテンツを提供する。
【０１６４】
これにより、発信情報活用システム３は、ユーザの周囲の状況に応じて適切なコンテンツを配信することができる。
【０１６５】
また、実施形態３に係る発信情報活用システム３において、発信機４０は、サーバ１００Ａによる指示に応じて、モードを変更する。
【０１６６】
これにより、発信情報活用システム３は、ユーザの周囲の状況に応じて適切なモードに変更することができる。
【０１６７】
また、実施形態３に係る発信情報活用システム３において、発信機４０は、携帯端末１０Ｂによる指示に応じて、モードを変更する。
【０１６８】
これにより、発信情報活用システム３は、ユーザの周囲の状況に応じて適切なモードに変更することができる。
【０１６９】
また、実施形態３に係る発信情報活用システム３において、発信機４０は、モードの変更に応じて発信情報を変更する。
【０１７０】
これにより、発信情報活用システム３は、ユーザの周囲の状況に応じて適切なモードに変更することができる。
【０１７１】
また、実施形態３に係る発信情報活用システム３において、発信機４０は、発信情報を発信する発信モードと、外部装置からの指示に応じて所定の処理を行う待機モードとを含むモードを所定の条件に応じて変更する。
【０１７２】
これにより、発信情報活用システム３は、ユーザの周囲の状況に応じて適切なモードに変更することができる。
【０１７３】
また、実施形態３に係る発信情報活用システム３は、判定機構をさらに具備する。判定機構は、所定の装置への給電方式を判定する。発信機４０は、判定機構により判定される給電方式に応じて、モードを変更する。
【０１７４】
これにより、発信情報活用システム３は、給電方式に応じて適切なモードに変更することができる。
【０１７５】
また、実施形態３に係る発信情報活用システム３において、蓄電池５３をさらに具備する。判定機構は、給電方式として、商用電源ＣＰによる電力供給か、蓄電池５３による電力供給かを判定する。
【０１７６】
これにより、発信情報活用システム３は、商用電源ＣＰによる電力供給か、蓄電池５３による電力供給かの判定に応じて適切なモードに変更することができる。
【０１７７】
また、実施形態３に係る発信情報活用システム３において、所定の装置として照明装置５０を具備する。照明装置５０は、光源５１と、判定機構としての判定部５２と、蓄電池５３とを具備する。蓄電池５３は、判定部５２により商用電源ＣＰによる電力供給が停止したと判定された場合、発信機４０に対して電力を供給する。
【０１７８】
これにより、発信情報活用システム３は、停電時においても発信機４０を動作させることができる。
【０１７９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【０１８０】
１，２，３  発信情報活用システム
１０，１０Ａ〜１０Ｃ  携帯端末
４０  発信機
４１  発信部
４２  通信部
４３  記憶部
４４  制御部
４５  指示部
４６  受付部
４７  変更部
５０  照明装置
５１  光源
５２  判定部（判定機構）
５３  蓄電池
５４  点灯回路
１００，１００Ａ  サーバ
１１０  通信部
１２０，１２０Ａ  記憶部
１２１  コンテンツ情報記憶部
１２２  グループ情報記憶部
１３０  制御部
１３１  受信部
１３２  抽出部
１３３  送信部
【図１】
2019169986.tif 000003
【図２】
2019169986.tif 000004
【図３】
2019169986.tif 000005
【図４】
2019169986.tif 000006
【図５】
2019169986.tif 000007
【図６】
2019169986.tif 000008
【図７】
2019169986.tif 000009
【図８】
2019169986.tif 000010
【図９】
2019169986.tif 000011
【図１０】
2019169986.tif 000012
【図１１】
2019169986.tif 000013
【図１２】
2019169986.tif 000014
【図１３】
2019169986.tif 000015
【図１４】
2019169986.tif 000016
【図１５】
2019169986.tif 000017
【図１６】
2019169986.tif 000018
【図１７】
2019169986.tif 000019
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
モードに対応した発信ＩＤを発信する発信機を備えた照明装置と；
前記発信ＩＤを受信すると当該発信ＩＤに応じたアプリケーションを起動する端末と；
を具備することを特徴とする発信情報活用システム。
【請求項２】
前記発信機は、少なくとも商用電源から電力が供給されて駆動するモードおよび、蓄電池からの電力が供給されて駆動するモードを有する請求項１に記載の発信情報活用システム。
【手続補正２】
【補正対象書類名】明細書
【補正対象項目名】０００６
【補正方法】変更
【補正の内容】
【０００６】
本実施形態の発信情報活用システムは、照明装置と、端末とを具備する。照明装置は、モードに対応した発信ＩＤを発信する発信機を備える。端末は、発信ＩＤを受信すると当該発信ＩＤに応じたアプリケーションを起動する。